(57)【要約】【課題】  非有効表示領域をより小さくできると共に製造コストを軽減できる電気光学装置及びその電気光学装置を用いた電子機器を提供すること。【解決手段】  第２の基板７の第１の張出し部１７の張出し方向と略逆方向に第１の基板６から張出した第２の張出し部１８を該第２の基板７に設け、その第１の張出し部１７にセグメント用液晶駆動用ＩＣ２９を実装し、更に第２の張出し部１８にコモン用液晶駆動用ＩＣ２０，２１を実装する場合に、コモン用液晶駆動用ＩＣ２０，２１及びセグメント用液晶駆動用ＩＣ２９を電気的に外部に接続させるために一つの連続したフレキシブル基板３を有することとした。【選択図】  図１
2005283815.tif 000002
【特許請求の範囲】
【請求項１】
表示領域を挟んで対向する第１及び第２の実装領域を備え、電気光学材料を保持する第１及び第２の基板を有する電気光学パネルと、
前記第１及び第２の実装領域に夫々実装された電気光学材料駆動用の第１及び第２の駆動用ドライバと、
前記第１及び第２の駆動用ドライバを電気的に外部に接続させるための基材と
を具備することを特徴とする電気光学装置。
【請求項２】
前記第１の実装領域は、前記第１の基板に対向する前記第２の基板上の前記第１の基板から張出した第１の張出し部に設けられ、
前記第２の実装領域は、前記第１の張出し部とは前記第１の基板を挟んで反対側で、前記第２の基板上の前記第１の基板から張出した第２の張出し部に設けられたことを特徴とする請求項１に記載の電気光学装置。
【請求項３】
前記第１の実装領域は、前記第１の基板に対向する前記第２の基板上の前記第１の基板から張出した第１の張出し部に設けられ、
前記第２の実装領域は、前記第１の基板上の前記第２の基板から張出した第２の張出し部に設けられたことを特徴とする請求項１に記載の電気光学装置。
【請求項４】
前記基材は、一つの連続した形状であることを特徴とする請求項１から請求項３のうちいずれか一項に記載の電気光学装置。
【請求項５】
前記基材は、第１及び第２の基材を有し、
前記第１の基材は前記第１の駆動用ドライバと電気的に接続され、前記第２の基材は前記第２の駆動用ドライバと電気的に接続されており、
前記第１及び第２の駆動用ドライバの一方は、前記第１及び第２の基材を介して外部に電気的に接続されていることを特徴とする請求項１から請求項３のうちいずれか一項に記載の電気光学装置。
【請求項６】
前記基材は、第１及び第２の基材と、前記第１の基材と前記第２の基材との間でそれぞれの基材に電気的に接続されている第３の基材とを有し、
前記第１の基材は前記第１の駆動用ドライバと電気的に接続され、前記第２の基材は前記第２の駆動用ドライバと電気的に接続されており、
前記第１及び第２の駆動用ドライバは、前記第３の基材を介して外部に電気的に接続されていることを特徴とする請求項１から請求項３のうちいずれか一項に記載の電気光学装置。
【請求項７】
前記第１及び第２の基板は、前記第１の基板上に第１の電極を有すると共に前記第２の基板上に前記第１の電極と交差する方向に形成された第２の電極を有し、
前記第１の駆動用ドライバは、前記第１の電極に電気的に接続され、前記第２の駆動用ドライバは前記第２の電極に電気的に接続されていることを特徴とする請求項１から請求項６のうちいずれか一項に記載の電気光学装置。
【請求項８】
前記第１及び第２の駆動用ドライバの少なくとも一方は複数であることを特徴とする請求項１から請求項７のうちいずれか一項に記載の電気光学装置。
【請求項９】
前記基材は、フレキシブル基板であることを特徴とする請求項１から請求項８のうちいずれか一項に記載の電気光学装置。
【請求項１０】
表示領域を挟んで対向する第１及び第２の実装領域を備え、電気光学材料を保持する基板を有する電気光学パネルと、
前記第１及び第２の実装領域に実装された電気光学材料駆動用の第１及び第２の駆動用ドライバと、
前記第１及び第２の駆動用ドライバを電気的に外部に接続させるための基材と
を具備することを特徴とする電気光学装置。
【請求項１１】
請求項１から請求項１０のうちいずれか一項に記載の電気光学装置を備えたことを特徴とする電子機器。
【発明の詳細な説明】
【技術分野】
【０００１】
本発明は、パーソナルコンピュータや携帯電話機に用いられる電気光学装置及びその電気光学装置を用いた電子機器に関する。
【背景技術】
【０００２】
従来、パーソナルコンピュータや携帯電話機といった電子機器の表示装置として液晶装置等の電気光学装置が広く用いられており、その液晶装置の液晶パネルと外部回路とを電気的に接続するフレキシブル基板等が知られている。
【０００３】
しかし、そのフレキシブル基板を用いるに際し例えば液晶パネル側の基板の端部などに接触し当該フレキシブル基板に亀裂等が発生する等の問題も有り、それを解決するものとして補強部材等を設ける等の方法が提案されている（例えば、特許文献１参照。）。
【特許文献１】特開２００２−２９９７７３号公報（段落［０００９］から［００３６］、図４）。
【発明の開示】
【発明が解決しようとする課題】
【０００４】
しかしながら上述の方法により例えばフレキシブル基板に亀裂等が発生する等の問題は改善されたが、より液晶装置の有効表示領域以外の領域（非有効表示領域）を小さくすることが求められるなかで、液晶駆動用ＩＣの配置やその配置でより部品点数を少なくし、製造コストを低減しなければならないという問題が生じていた。
【０００５】
本発明は、上述の課題に鑑みてなされるもので、非有効表示領域をより小さくできると共に製造コストを軽減できる電気光学装置及びその電気光学装置を用いた電子機器を提供することを目的とする。
【課題を解決するための手段】
【０００６】
上記目的を達成するために、本発明の主たる観点に係る電気光学装置は、表示領域を挟んで対向する第１及び第２の実装領域を備え、電気光学材料を保持する第１及び第２の基板を有する電気光学パネルと、前記第１及び第２の実装領域に夫々実装された電気光学材料駆動用の第１及び第２の駆動用ドライバと、前記第１及び第２の駆動用ドライバを電気的に外部に接続させるための基材とを具備することを特徴とする。
【０００７】
ここで、「実装領域」とは、例えば液晶駆動用ＩＣ等が実装される領域のことであり、「基材」とは、例えばフレキシブル基板等のことである。
【０００８】
本発明は、表示領域を挟んで対向する第１及び第２の実装領域を備え、その第１及び第２の実装領域に電気光学材料駆動用の第１及び第２の駆動用ドライバを夫々実装することとしたので、対向する第１及び第２の実装領域以外に駆動用ドライバを実装しなくてすみ、非有効表示領域をより少なくできる。例えば張出し部に駆動用ドライバを実装する場合に該張出し方向に交差する方向のパネル幅のサイズを小さくすることができる。
【０００９】
また、その様なドライバの配置において第１及び第２の夫々の駆動用ドライバに電気的に接続された基材を有するので、最も効率的に、好ましくは一つの連続した形状で外部接続等させることが可能となり、部品点数の削減等により電気光学装置の製造コストを軽減できる。
【００１０】
本発明の一の形態によれば、前記第１の実装領域は、前記第１の基板に対向する前記第２の基板上の前記第１の基板から張出した第１の張出し部に設けられ、前記第２の実装領域は、前記第１の張出し部とは前記第１の基板を挟んで反対側で、前記第２の基板上の前記第１の基板から張出した第２の張出し部に設けられたことを特徴とする。これにより、例えば電気光学パネルの張出し方向に交差する方向の実際の表示に関与する領域以外の領域である非有効表示領域をより小さくでき、その方向の電気光学パネルの大きさを小さくできる。
【００１１】
本発明の一の形態によれば、前記第１の実装領域は、前記第１の基板に対向する前記第２の基板上の前記第１の基板から張出した第１の張出し部に設けられ、前記第２の実装領域は、前記第１の基板上の前記第２の基板から張出した第２の張出し部に設けられたことを特徴とする。これにより、第１の基板と第２に基板とに夫々駆動用ドライバを実装した場合も同様に、例えば電気光学パネルの張出し方向に交差する方向の実際の表示に関与する領域以外の領域である非有効表示領域をより小さくでき、その方向の電気光学パネルの大きさを小さくできる。
【００１２】
本発明の一の形態によれば、前記基材は、一つの連続した形状であることを特徴とする。これにより、非有効表示領域を小さくしながら例えばフレキシブル基板等の部品点数をより少なくでき、電気光学装置の製造コストの削減を図ることができる。
【００１３】
本発明の一の形態によれば、前記基材は、第１及び第２の基材を有し、前記第１の基材は前記第１の駆動用ドライバと電気的に接続され、前記第２の基材は前記第２の駆動用ドライバと電気的に接続されており、前記第１及び第２の駆動用ドライバの一方は、前記第１及び第２の基材を介して外部に電気的に接続されていることを特徴とする。これにより、例えば従来の一方の張出し部に接続されたフレキシブル基板を略利用して非有効表示領域を小さくできるので、より部品コストの低減を図ることができる。また、一方の基材を各種の電気光学装置で共用化を図ることもでき、更なるコストの低減化、省資源化を図ることができる。
【００１４】
本発明の一の形態によれば、前記基材は、第１及び第２の基材と、前記第１の基材と前記第２の基材との間でそれぞれの基材に電気的に接続されている第３の基材とを有し、前記第１の基材は前記第１の駆動用ドライバと電気的に接続され、前記第２の基材は前記第２の駆動用ドライバと電気的に接続されており、前記第１及び第２の駆動用ドライバは、前記第３の基材を介して外部に電気的に接続されていることを特徴とする。これにより、例えば第１及び第２の基材を夫々基板張出し部に接続するときに別々に接続できるので、基材の圧着工程等が容易となり、電気光学装置の製造コストの低減を図ることができる。また、一方の基材を各種の電気光学装置で共用化を図ることもでき、更なるコストの低減化、省資源化を図ることができる。
【００１５】
本発明の一の形態によれば、前記第１及び第２の基板は、前記第１の基板上に第１の電極を有すると共に前記第２の基板上に前記第１の電極と交差する方向に形成された第２の電極を有し、前記第１の駆動用ドライバは、前記第１の電極に電気的に接続され、前記第２の駆動用ドライバは前記第２の電極に電気的に接続されていることを特徴とする。これにより、例えば第１の電極をセグメント電極、第２の電極をコモン電極として夫々の駆動用ドライバである液晶駆動用ＩＣを分けることができ、例えばそれらの液晶駆動用ＩＣと電気的に接続する配線等をより効率的にレイアウトできる。
【００１６】
本発明の一の形態によれば、前記第１及び第２の駆動用ドライバの少なくとも一方は複数であることを特徴とする。これにより、例えば薄膜ダイオード素子アクティブマトリクス型の液晶装置等の多種多様な電気光学装置で非有効表示領域をより小さくできると共に製造コストを軽減できる。
【００１７】
本発明の一の形態によれば、前記基材は、フレキシブル基板であることを特徴とする。これにより、第１及び第２の駆動用ドライバと夫々電気的に接続する配線等が設けられている基材をよりコンパクトに液晶装置等のケース体に収納することが可能となる。
【００１８】
本発明の他の観点にかかる電気光学装置は、表示領域を挟んで対向する第１及び第２の実装領域を備え、電気光学材料を保持する基板を有する電気光学パネルと、前記第１及び第２の実装領域に実装された電気光学材料駆動用の第１及び第２の駆動用ドライバと、前記第１及び第２の駆動用ドライバを電気的に外部に接続させるための基材とを具備することを特徴とする。
【００１９】
本発明は、表示領域を挟んで対向する第１及び第２の実装領域を備え、電気光学材料を保持する基板を有する電気光学パネルと、その第１及び第２の実装領域に実装された電気光学材料駆動用の第１及び第２の駆動用ドライバとを具備することとしたので、例えば対向する一対の基板でなく一枚の基板の対向する第１及び第２の実装領域以外に駆動用ドライバを実装しなくてすみ、非有効表示領域をより少なくできる。
【００２０】
また、その様なドライバの配置において第１及び第２の夫々の駆動用ドライバに電気的に接続された基材を有するので、最も効率的に、好ましくは一つの連続した形状で外部接続等させることが可能となり、部品点数の削減等により電気光学装置の製造コストを軽減できる。
【００２１】
本発明の他の観点にかかる電子機器は、上述の電気光学装置を備えたことを特徴とする。
【００２２】
本発明は、非有効表示領域をより小さくできると共に製造コストを軽減できる電気光学装置を備えるので、その製造コストの低減と品質の高い電子機器を提供することができる。
【発明を実施するための最良の形態】
【００２３】
以下、本発明に実施形態を図面に基づき説明する。なお、以下実施形態を説明するにあたっては、電気光学装置の例として液晶装置、具体的には反射半透過型のパッシブマトリックス方式の液晶装置、またその液晶装置を用いた電子機器について説明するが、これに限られるものではない。また、以下の図面においては各構成をわかりやすくするために、実際の構造と各構造における縮尺や数等が異なっている。
【００２４】
（第１の実施形態）
【００２５】
図１は本発明の第１の実施形態に係る液晶装置の概略斜視図、図２は図１のＡ−Ａ線断面図及び図３は第１の基板に第２の張り出し部を形成した場合の断面図である。
【００２６】
（液晶装置の構成）
【００２７】
液晶装置１は、例えば図１に示すように電気光学パネルとしての液晶パネル２と、該液晶パネル２に接続された基材であるフレキシブル基板３及び外部回路４を有する。ここで、液晶装置１は外部回路４の他にも、バックライト等の照明装置やその他の付帯機構が必要に応じて付設される（図示しない）。
【００２８】
液晶パネル２は、図１及び図２に示すようにシール材５を介して貼り合わされた対向する基板である第１の基板６及び第２の基板７と、両基板の隙間に封入された電気光学材料、例えばＳＴＮ（Ｓｕｐｅｒ  Ｔｗｉｓｔｅｄ  Ｎｅｍａｔｉｃ）型の液晶８とを有する。
【００２９】
第１の基板６には、例えば図１及び図２に示すように液晶側表面に第１の電極である複数のセグメント電極９が所定のパターンで形成されており、そのセグメント電極９の上（液晶側）にはオーバーコート層１０が形成され、更にその上に配向膜１１が形成されている。また、第１の基板６の外側（液晶８と反対側）には偏光板１２等が配置されている。
【００３０】
一方、第２の基板７には、例えば図１及び図２に示すように液晶側表面に、第２の電極である複数のコモン電極１３が所定のパターンで形成されており、そのコモン電極１３の上にはオーバーコート層１４が形成され、更にその上に配向膜１５が形成されている。また、第２の基板７の外側（液晶８と反対側）には偏光板１６等が配置されている。
【００３１】
なお、第１の基板６及び第２の基板７のいずれか一方の内側表面には図示しないが必要に応じて下地層、反射層、着色層及び光遮蔽層等を形成する。
【００３２】
ここで、第１の基板６及び第２の基板７は、図１及び図２に示すように例えばガラスや合成樹脂といった光透過性材料から形成された板状部材であり、第２の基板７は第１の基板６に対し外側へ（図２中の左Ｙ軸方向）張出した第１の張り出し部１７を有している。
【００３３】
また、第２の基板７は当該第１の張り出し部１７とは第１の基板６を挟んで反対側で該第１の基板６から張出した第２の張出し部１８を有する。
【００３４】
すなわち、第２の基板７は当該第１の張り出し部１７が張出した張出し方向と逆方向に（図２中の右Ｙ軸方向）第１の基板６に対し外側へ張出した第２の張出し部１８を有する。
【００３５】
更に液晶パネル２は略矩形状に形成されており、第１及び第２の張出し部１７，１８の張出し方向（図１及び図２中のＹ軸方向）は、該矩形状の液晶パネル２の長手方向となるように形成されている。これにより、液晶パネル２の長手方向としては第１及び第２の張り出し部１７，１８を有することから若干長くなるが、その長手方向と交差する方向に張出し部が形成されずに済むので、後述する液晶領域中の有効表示領域を確保しながら長手方向と交差する方向の長さを抑えることができる。勿論、張り出し方向は該矩形状の液晶パネル２の長手方向に限られるものではなく、該長手方向には張出さずに短いほうの方向に張出してもよい。これにより、より多種多様な液晶装置で部品点数を少なくしながら小型化を図ることができる。
【００３６】
また、セグメント電極９は例えばＩＴＯ（Ｉｎｄｉｕｍ  Ｔｉｎ  Ｏｘｉｄｅ）の透明導電材料により形成されており、図１及び図２に示すように一方向（図中のＹ軸方向）で平行になるようにストライプ形状で複数形成されている。
【００３７】
更にコモン電極１３は、セグメント電極９と同様にＩＴＯ等の透明導電材料でストライプ状に複数形成されているが、図１及び図２に示すようにセグメント電極９と交差するように図中のＸ軸方向に形成されている。これらのセグメント電極９及びコモン電極１３が交差する所が像を表示する画素となる。
【００３８】
また、オーバーコート層１０，１４は例えば酸化ケイ素、酸化チタン又はこれらの混合物により形成され、配向膜１１，１５は例えばポリイミド系樹脂により形成されている。
【００３９】
次に、第２の張出し部１８は例えば図１及び図２の示すようにセグメント電極９及びコモン電極１３がシール材５で囲まれる領域（以下「液晶領域」という。）から当該第２の張出し部１８に延びている電極部分であるコモン電極用配線１９、その電極用配線に例えば液晶駆動用電流を供給する第２の駆動用ドライバである２つのコモン用液晶駆動用ＩＣ２０，２１等を有する。
【００４０】
また、第２の張出し部１８はコモン用液晶駆動用ＩＣ２０，２１の実装面に対応する第２の基板７上の第２の実装領域である該実装領域内に設けられた電極用端子２２、更にフレキシブル基板３からの電流をコモン用液晶駆動用ＩＣ２０，２１に入力する複数の入力用端子２３を有する。この電極用端子２２はコモン電極用配線１９に電気的に接続されている。
【００４１】
更に第２の張出し部１８は、フレキシブル基板３からの電流を受取る外部用端子２４、その外部用端子２４からに電流を入力用端子２３に供給する入力用配線２５等を有する。
【００４２】
尚、コモン電極用配線１９は例えばコモン電極１３と同様ＩＴＯ等の透明導電材料で形成されている。
【００４３】
コモン用液晶駆動用ＩＣ２０，２１は、例えば図１に示すようにコモン電極１３を液晶パネル２の長手方向で上下に２つに分け、上半分のコモン電極１３を図中左側から引き回し第２の張出し部１８の左側に実装されたコモン用液晶駆動用ＩＣ２０に電気的に接続する。一方、残りの下半分のコモン電極１３は、例えば図１に示すように図中右側から引き回し第２の張出し部１８の右側に実装されたコモン用液晶駆動用ＩＣ２１に電気的に接続する。
【００４４】
ここで、コモン用液晶駆動用ＩＣ２０，２１は、例えばフレキシブル基板３及び入力用配線２５を介して表示画像等に関わる各種の信号を受信すると、この信号に応じた駆動信号を生成するものであり、その駆動信号はコモン電極用配線１９に供給される。
【００４５】
また、コモン用液晶駆動用ＩＣ２０，２１は、例えば第２の張出し部１８への実装面である裏面に電極用端子２２と入力用端子２３とに電気的に接続するための複数のバンプ２６を有する。この電気的接続には電極用端子２２及び入力用端子２３とバンプ２６との間にＡＣＦ（Ａｎｉｓｏｔｒｏｐｉｃ  ｃｏｎｄｕｃｔｉｖｅ  ｆｉｌｍ）２７を介して行われている。
【００４６】
次に、第１の張出し部１７は例えば図１及び図２の示すように液晶領域から当該第１の張出し部１７に延びている電極部分であるセグメント電極用配線２８、その電極用配線に例えば液晶駆動用電流を供給する第１の駆動用ドライバであるセグメント用液晶駆動用ＩＣ２９等を有する。
【００４７】
また、第１の張出し部１７はセグメント用液晶駆動用ＩＣ２９の実装面に対応する第２の基板７上の第１の実装領域である該実装領域内に設けられた電極用端子３０、更にフレキシブル基板３からの電流をセグメント用液晶駆動用ＩＣ２９に入力する複数の入力用端子３１を有する。この電極用端子３０はセグメント電極用配線２８に電気的に接続されている。
【００４８】
更に第１の張出し部１７は、フレキシブル基板３からの電流を受取る外部用端子３２、その外部用端子３２からの電流を入力用端子３１に供給する入力用配線３３等を有する。
【００４９】
尚、セグメント電極用配線２８は例えばセグメント電極９と同様ＩＴＯ等の透明導電材料で形成されている。また、図２に示すように第１の基板６上に形成されたセグメント電極９とセグメント電極用配線２８とは、例えばシール材５中の導電部材３９により電気的に接続されている。
【００５０】
セグメント用液晶駆動用ＩＣ２９は、例えばフレキシブル基板３及び入力用配線３３を介して表示画像等に関わる各種の信号を受信すると、この信号に応じた駆動信号を生成するものであり、その駆動信号はセグメント電極用配線２８に供給される。
【００５１】
また、セグメント用液晶駆動用ＩＣ２９は、例えば第１の張出し部１７への実装面である裏面に電極用端子３０と入力用端子３１とに電気的に接続するための複数のバンプ３４を有する。この電気的接続には電極用端子３０及び入力用端子３１とバンプ３４との間にＡＣＦ２７を介して行われている。
【００５２】
次に、フレキシブル基板３には図２に示すようにベース基材３５の上に配線パターン３６等が形成、実装されている。
【００５３】
ベース基材３５は可撓性を有するフィルム状の部材であり、配線パターン３６は例えば銅等から形成されていて、第１及び第２の張出し部側の端に夫々接続用端子（図示しない）が形成されている。その接続用端子は外部用端子２４，３２に外部接続用ＡＣＦ３７を介して電気的に接続されている。なお、外部接続用ＡＣＦ３７はＡＣＦ２７とほとんど同様の構成であるが、必要に応じて導電粒子の大きさ等を変えてある。
【００５４】
また、フレキシブル基板３は例えば図１に示すように全体形状が一つの連続した略Ｃ字形状を有し、液晶パネル２の長手方向（図中のＹ軸方向）の一辺である図中の左側辺の外側に沿うように形成されている。更にフレキシブル基板３の上端は、例えば図１に示すように液晶パネル２の第１の張出し部１７の上端に接続されていると共に、第２の張出し部１８の下端にフレキシブル基板３の下端が接続されている。すなわち、第２の張出し部１８の下端の外部用端子２４にフレキシブル基板３の配線パターン３６の一部が電気的に接続されている。また、第１の張出し部１７の上端の外部用端子３２にフレキシブル基板３の配線パターン３６の残りの一部が電気的に接続されている。
【００５５】
これにより、コモン用液晶駆動用ＩＣ２０，２１とセグメント用液晶駆動用ＩＣ２９とを夫々別々のフレキシブル基板で電気的に接続する必要がなく部品点数を少なくでき、製造コストの軽減を図ることができる。尚、当該フレキシブル基板３上には上述した配線パターン３６の他に種々の電子部品例えば抵抗やＬＥＤ（Ｌｉｇｈｔ  Ｅｍｉｔｔｉｎｇ  Ｄｉｏｄｅ）等を実装してもよい。これにより、より液晶装置１の小型化が図れる。
【００５６】
次に、外部回路４は例えば図１に示すようにフレキシブル基板３の一部に電気的に接続されておりフレキシブル基板３の配線パターン３６を介しコモン用液晶駆動用ＩＣ２０，２１及びセグメント用液晶駆動用ＩＣ２９等に信号電流等を供給する。
【００５７】
尚、上述の説明では図１及び図２に示すように第２の張出し部１８を第１の張出し部１７が形成された第２の基板７にその張出し方向と逆方向の張出し部として形成したが、これに限られるものではない。例えば図３に示すように第２の張出し部１８を第２の基板７から張出した第１の基板６に形成してもよい。すなわち、第１の基板６に第１の張出し部１７の張出し方向と逆方向の張出し部として形成してもよい。これにより、種々の液晶装置に対応して、例えば液晶パネル２の長手方向に交差する方向の非有効表示領域をより小さくしながら、フレキシブル基板等の部品点数を少なくし製造コストの軽減を図ることができる。
【００５８】
具体的には、図３に示すように第１の基板６と第２の基板７とは長手方向（図３中のＹ軸方向）に相互にずれて貼り合わせられており、その長手方向に互いの基板上で第１の張出し部１７及び第２張出し部１８が互いに逆方向に張出して形成されている。
【００５９】
この場合、第２の張出し部１８に実装されるコモン用液晶駆動用ＩＣ２０，２１は、図３に示すように第１の基板６の裏面（液晶側）に実装されることとなるが基本的には、上述の場合と同様に電極用端子２２や入力用端子２３等が形成される。
【００６０】
ただし、例えば図３に示すように第２の張出し部１８の外部用端子２４に外部接続用ＡＣＦ３７を介し電気的に接続する図示しない接続用端子とフレキシブル基板３の配線パターン３６とは、ベース基材３５に設けられたスルーホール４０中の導電部材により電気的に接続されている。また、シール材５中にはセグメント電極９とセグメント電極用配線２８とを電気的に接続する導電部材３９の他に、コモン電極１３とコモン電極用配線１９とを電気的に接続する導電部材３９が設けられている。
【００６１】
（液晶装置の製造方法）
【００６２】
次に液晶装置１の製造方法について簡単に説明する。
【００６３】
まず、第１の基板６上にセグメント電極９の材料であるＩＴＯ等をスパッタリング法により被着し、フォトリソグラフィ法によってパターニングして図１及び図２に示すようにＹ軸方向でストライプ状に、セグメント電極９を形成する。また、その上にオーバーコート層１０を形成し、更にその上に配向膜１１を形成し、ラビング処理を施して第１の基板側を形成する。
【００６４】
次に、第２の基板７上に同様にコモン電極１３を図１及び図２に示すようにＸ軸方向にストライプ状に形成し、更にオーバーコート層１４及び配向膜１５を形成し、第２の基板側を形成する。尚、このコモン電極１３を形成する際に、第１及び第２の張出し部１７，１８のコモン電極用配線１９及びセグメント電極用配線２８、入力用配線２５，３３等を同時に形成してもよい。
【００６５】
そして、第１の基板６上にギャップ材３８をドライ散布等により散布し、シール材５を介して第１の基板６と第２の基板７とを貼り合わせる。その後、シール材５の図示しない開口部から液晶８を注入し、シール材５の開口部を紫外線硬化性樹脂等の封止材によって封止する。
【００６６】
次に、ＡＣＦ２７を例えば図２に示すように第２の張出し部１８のコモン用液晶駆動用ＩＣ２０，２１の夫々の実装領域に電極用端子２２及び入力用端子２３等を覆うように配置し、貼着する。更にそのＡＣＦ２７の上に該電極用端子等に対応してバンプ２６が位置するようにコモン用液晶駆動用ＩＣ２０，２１を押圧しＡＣＦ２７を加熱する。これにより、バンプ２６と電極用端子２２及び入力用端子２３との間に導電粒子が挟まれ、単一方向の導電性を持ち、電気的に接続される。
【００６７】
また、図２に示すように第１の張出し部１７のセグメント用液晶駆動用ＩＣ２９の実装領域にも電極用端子３０及び入力用端子３１等を覆うようにＡＣＦ２７を配置し、貼着する。更にそのＡＣＦ２７の上に該電極用端子等に対応してバンプ３４が位置するようにセグメント用液晶駆動用ＩＣ２９を押圧しＡＣＦ２７を加熱する。これにより、バンプ３４と電極用端子３０及び入力用端子３１との間に導電粒子が挟まれ、単一方向の導電性を持ち、電気的に接続される。
【００６８】
次に、フレキシブル基板３上に必要な電子部品等を形成、実装し、配線パターン３６に電気的に接続された図示しない接続用端子を外部接続用ＡＣＦ３７を介して外部用端子２４，３２に電気的に接続させる。
【００６９】
更に外部回路４をフレキシブル基板３に電気的に接続させ、最後にその他の照明装置やケース体等を取り付けて電気光学装置である液晶装置１が完成する。
【００７０】
このように本実施形態によれば、第１の駆動用ドライバであるセグメント用液晶駆動用ＩＣ２９は、第２の基板７上の第１の基板６から張出した第１の張出し部１７に実装され、第２の駆動用ドライバであるコモン用液晶駆動用ＩＣ２０，２１は、第１の張出し部１７とは第１の基板６を挟んで反対側で、第２の基板７上の第１の基板６から張出した第２の張出し部１８に実装されているので、例えば液晶パネルの張出し方向に交差する方向の実際の表示に関与する領域以外の領域である非有効表示領域をより小さくでき、その方向の液晶パネルの大きさを小さくできる。
【００７１】
また、その様な液晶駆動用ＩＣ（ドライバ）の配置においてコモン用液晶駆動用ＩＣ２０，２１及びセグメント用液晶駆動用ＩＣ２９に電気的に接続された一つの連続した形状であるフレキシブル基板３を有するので、最も効率的に外部接続等させることが可能となり、部品点数の削減等により液晶装置１の製造コストを軽減できる。
【００７２】
（第２の実施形態）
【００７３】
次に、本発明に係る液晶装置の第２の実施形態について説明する。本実施形態においてはフレキシブル基板が一つに連続していない点が第１の実施形態と異なるのでその点を中心に説明する。尚、第１の実施形態の構成要素と共通する構成要素については、第１の実施形態の構成要素と同一の符号を付しその説明を省略する。
【００７４】
図４は本発明の第２の実施形態に係る液晶装置１０１の概略斜視図である。
【００７５】
（液晶装置の構成）
【００７６】
図４に示すように液晶装置１０１のフレキシブル基板は、第１の張出し部１７に実装された第１の駆動用ドライバであるセグメント用液晶駆動用ＩＣ２９に電気的に接続された第１の基材である第１のフレキシブル基板１０３ａと第２の張出し部１８に実装された第２の駆動用ドライバであるコモン用液晶駆動用ＩＣ２０，２１に電気的に接続された第２の基材である第２のフレキシブル基板１０３ｂとを有する。
【００７７】
具体的には、第１のフレキシブル基板１０３ａは例えば図４に示すように略Ｃ字形状を有し、その図中の上端部が液晶パネル２の第１の張出し部１７に接続されており、その下端部が液晶パネル２の第２の張出し部１８に接続されている第２のフレキシブル基板１０３ｂに接続されている。
【００７８】
また、第１のフレキシブル基板１０３ａは例えば図２及び図４に示すようにベース基材３５の上に配線パターン３６等が形成、実装されている。
【００７９】
更に第１のフレキシブル基板１０３ａは、例えば図２及び図４に示すようにセグメント用液晶駆動用ＩＣ２９に電気的に接続された外部用端子３２に外部接続用ＡＣＦ３７を介し配線パターン３６に電気的に接続されている。
【００８０】
また、第１のフレキシブル基板１０３ａは第１の張出し部１７と反対側の端部で、図４に示すように配線パターン３６が、第２のフレキシブル基板１０３ｂの配線パターン３６に図示しない外部接続用ＡＣＦ３７を介し電気的に接続されている。
【００８１】
一方、第２のフレキシブル基板１０３ｂも同様にベース基材３５の上に配線パターン３６等が形成、実装されており、例えば図２及び図４に示すようにコモン用液晶駆動用ＩＣ２０，２１に電気的に接続された外部用端子２４に、外部接続用ＡＣＦ３７を介し配線パターン３６が電気的に接続されている。
【００８２】
また、外部回路４は例えば図４に示すように第２のフレキシブル基板１０３ｂの液晶パネル側と反対側端部に電気的に接続されている。
【００８３】
（液晶装置の製造方法）
【００８４】
本実施形態にかかる液晶装置の製造方法は、略第１の実施形態と同様であるのでその説明を省略する。
【００８５】
このように本実施形態によれば、液晶装置１０１は第１及び第２のフレキシブル基板１０３ａ，１０３ｂを有し、第１のフレキシブル基板１０３ａは第１の駆動用ドライバであるセグメント用液晶駆動用ＩＣ２９と電気的に接続され、第２のフレキシブル基板１０３ｂは第２の駆動用ドライバであるコモン用液晶駆動用ＩＣ２０，２１と電気的に接続されており、該セグメント用液晶駆動用ＩＣ２９は第１及び第２のフレキシブル基板１０３ａ，１０３ｂを介して外部回路４に電気的に接続されているので、ドライバの配置による液晶パネルの小型化と共に、例えば従来の一方の張出し部に接続されたフレキシブル基板を略利用し、より部品コストの低減を図ることができる。また、一方の基材を各種の液晶装置で共用化を図ることもでき、更なるコストの低減化、省資源化を図ることができる。
【００８６】
（変形例）
【００８７】
次に、本発明に係る液晶装置の第２の実施形態の変形例について説明する。本変形例においては第１及び第２のフレキシブル基板の間に外部回路が配置されている点が第１及び第２の実施形態と異なるのでその点を中心に説明する。尚、第１の実施形態の構成要素と共通する構成要素については、第１の実施形態の構成要素と同一の符号を付しその説明を省略する。
【００８８】
図５はフレキシブル基板の間に外部回路が配置された場合の概略斜視図である。
【００８９】
図５に示すように液晶装置２０１のフレキシブル基板は、第１の張出し部１７に実装された第１の駆動用ドライバであるセグメント用液晶駆動用ＩＣ２９に電気的に接続された第１の基材である第１のフレキシブル基板２０３ａと第２の張出し部１８に実装された第２の駆動用ドライバであるコモン用液晶駆動用ＩＣ２０，２１に電気的に接続された第２の基材である第２のフレキシブル基板２０３ｂとを有する。
【００９０】
具体的には、第１のフレキシブル基板２０３ａは例えば図５に示すように略逆Ｌ字形状を有し、その図中の上端部が液晶パネル２の第１の張出し部１７に接続されており、その下端部が第３の基材である外部回路２０４に電気的に接続されている。
【００９１】
また、第１のフレキシブル基板２０３ａは例えば図２及び図４に示すようにベース基材３５の上に配線パターン３６等が形成、実装されている。
【００９２】
更に第１のフレキシブル基板２０３ａは、例えば図２及び図４に示すようにセグメント用液晶駆動用ＩＣ２９に電気的に接続された外部用端子３２に外部接続用ＡＣＦ３７を介し配線パターン３６に電気的に接続されている。
【００９３】
一方、第２のフレキシブル基板２０３ｂも例えば図５に示すように略Ｌ字形状を有し、その図中の下端部が液晶パネル２の第２の張出し部１８に接続されており、その上端部が外部回路２０４に電気的に接続されている。
【００９４】
また、第２のフレキシブル基板２０３ｂは第１のフレキシブル基板２０３ａと同様にベース基材３５の上に配線パターン３６等が形成、実装されており、例えば図２及び図４に示すようにコモン用液晶駆動用ＩＣ２０，２１に電気的に接続された外部用端子２４に、外部接続用ＡＣＦ３７を介し配線パターン３６が電気的に接続されている。
【００９５】
これにより、第１及び第２のフレキシブル基板２０３ａ，２０３ｂを夫々第１の張出し部１７及び第２の張出し部１８に電気的に接続するさい別々に接続できるので、フレキシブル基板の圧着工程等が容易となり、液晶装置２０１の製造コストの低減を図ることができる。
【００９６】
また、一方のフレキシブル基板を各種の液晶装置で共用化することもでき、液晶装置の製造コストの低減化、省資源化が更に可能となる。
【００９７】
（第３の実施形態・電子機器）
【００９８】
次に、上述した液晶装置１、１０１、２０１を備えた本発明の第３の実施形態に係る電子機器について説明する。尚、第１の実施形態の構成要素と共通する構成要素については、第１の実施形態の構成要素と同一の符号を付しその説明を省略する。
【００９９】
図６は本発明の第３の実施形態にかかる電子機器の表示制御系の全体構成を示す概略構成図である。
【０１００】
電子機器３００は、表示制御系として例えば図６に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【０１０１】
また、液晶パネル２には表示領域Ｉを駆動する駆動回路３６１を有する。
【０１０２】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０１０３】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。駆動回路３６１は、走査線駆動回路、データ線駆動回路及び検査回路を含む。また、電源回路３９３は、上述した各構成要素に夫々所定の電圧を供給する。
【０１０４】
このように本実施形態によれば、電子機器３００に備えられた液晶装置１は、セグメント用液晶駆動用ＩＣ２９が第２の基板７上の第１の基板６から張出した第１の張出し部１７に実装され、コモン用液晶駆動用ＩＣ２０，２１が第１の張出し部１７とは第１の基板６を挟んで反対側で、第２の基板７上の第１の基板６から張出した第２の張出し部１８に実装されているので、例えば液晶パネル２の張出し方向に交差する方向の実際の表示に関与する領域以外の領域である非有効表示領域をより小さくでき、その方向の液晶パネル２の大きさを小さくできる。
【０１０５】
また、その様な液晶駆動用ＩＣ（ドライバ）の配置においてコモン用液晶駆動用ＩＣ２０，２１及びセグメント用液晶駆動用ＩＣ２９に電気的に接続された一つの連続した形状であるフレキシブル基板３を有するので、最も効率的に外部接続等させることが可能となり、部品点数の削減等により液晶装置の製造コストを軽減できる。
【０１０６】
特に携帯可能な電子機器にあっては、小型で且つ正確な機能を発揮できることが求められており、非有効表示領域をより少なくできると共に製造コストの軽減を図ることができる本発明の意義は大きいといえる。
【０１０７】
具体的な電子機器としては、携帯電話機やパーソナルコンピュータなどの他に液晶装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１，１０１，２０１が適用可能なのは言うまでもない。
【０１０８】
なお、本発明の電気光学装置及び電子機器は、上述した例に限定されるものではなく、本発明の要旨を逸脱しない範囲において種々変更を加え得ることは勿論である。
【０１０９】
例えば、上述した電気光学装置はいずれも液晶パネルを有する液晶装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ  Ｄｉｓｐｌａｙ等）などの各種電気光学装置であってもよい。
【０１１０】
以上、好ましい実施形態を上げて本発明を説明したが、本発明は上述したいずれの実施形態にも限定されず、本発明の技術思想の範囲内で適宜変更して実施できる。
【０１１１】
例えば、上述の実施形態ではパッシブマトリクス型の液晶装置について説明したがこれに限られるものではなく、例えば薄膜トランジスタ素子アクティブマトリクス型、薄膜ダイオード素子アクティブマトリクス型の液晶装置であってもよい。更には、半透過型に限らず透過型、反射型であってもよい。これにより、多種多様な液晶装置についても、非有効表示領域を少なくすると共に液晶装置の製造コストの低減を図ることができる。
【０１１２】
また、上述した第２の実施形態及び変形例では、第２の張出し部１８は何れも第１の張出し部１７と同様第２の基板に形成されるものとして説明したがこれに限られるものではなく、図３に示すように第１の基板６に形成してもよい。これにより、更に多種多様な液晶装置についても、非有効表示領域を少なくすると共に液晶装置の製造コストの低減を図ることができる。
【０１１３】
更に上述した実施形態では、一対の基板を備えた電気光学装置について説明したが、電気光学材料を保持する一つの基板上の対向する一対の辺に、それぞれ第１の駆動用ドライバと第２の駆動用ドライバとが実装されており、その第１及び第２の駆動用ドライバがそれぞれ基材に電気的に接続されている構成、例えば、第１の実施形態において、第１の基板６が存在せずに第２の基板７のみで電気光学材料を保持しているような構成であっても上述した実施形態と同様な効果を奏するものである。
【０１１４】
また、上述した実施形態では、基材であるフレキシブル基板３と第１及び第２の基材である第１のフレキシブル基板１０３ａ，２０３ａ及び第２のフレキシブル基板１０３ｂ，２０３ｂは図１、図４及び図５に示すように液晶パネル２の長手方向（図中のＹ軸方向）の一辺である図中の左側辺の外側に沿うように形成されているとしたがこれに限られるものではなく、例えば液晶パネル２の横幅（図中のＸ軸方向）から外に出ないように折りたたんでもよい。例えば、フレキシブル基板の液晶パネル横幅の外側となる部分を約９０度の角度で垂直に折り曲げてもよい。これにより、液晶装置の例えばドライバが実装されている張出し部の張り出し方向と交差する方向のパネル幅のサイズをより小さくすることができる。
【０１１５】
更に上述した実施形態では、第２の駆動用ドライバを２つのコモン用液晶駆動用ＩＣ２０，２１として構成したがこれに限られるものではなく、例えば第１及び第２の駆動用ドライバを夫々一つずつとして構成してもよい。これにより、より多種多様な液晶装置についても、非有効表示領域を少なくすると共に液晶装置の製造コストの低減を図ることができる。
【図面の簡単な説明】
【０１１６】
【図１】第１の実施形態に係る液晶装置の概略斜視図である。
【図２】図１のＡ−Ａ線断面図である。
【図３】第１の基板に第２の張り出し部を形成した場合の断面図である。
【図４】第２の実施形態に係る液晶装置の概略斜視図である。
【図５】フレキシブル基板の間に外部回路が配置された場合の概略斜視図である。
【図６】第３の実施形態にかかる電子機器の表示制御系の概略構成図である。
【符号の説明】
【０１１７】
１，１０１，２０１  液晶装置、  ２  液晶パネル、  ３  フレキシブル基板、  ４，２０４  外部回路、  ５  シール材、  ６  第１の基板、  ７  第２の基板、  ８  液晶、  ９  セグメント電極、  １０，１４  オーバーコート層、  １１，１５  配向膜、  １２，１６  偏光板、  １３  コモン電極、  １７  第１の張出し部、  １８  第２の張出し部、  １９  コモン電極用配線、  ２０，２１  コモン用液晶駆動用ＩＣ、  ２２，３０  電極用端子、  ２３，３１  入力用端子、  ２４，３２  外部用端子、  ２５，３３  入力用配線、  ２６，３４  バンプ、  ２７  ＡＣＦ、  ２８  セグメント電極用配線、  ２９  セグメント用液晶駆動用ＩＣ、  ３５  ベース基材、  ３６  配線パターン、  ３７  外部接続用ＡＣＦ、  ３８  ギャップ材、  ３９  導電部材、  ４０  スルーホール、  １０３ａ，２０３ａ  第１のフレキシブル基板、  １０３ｂ，２０３ｂ  第２のフレキシブル基板、  ３００  電子機器、  ３６１  駆動回路、  ３９０  表示制御回路
【図１】
2005283815.tif 000003
【図２】
2005283815.tif 000004
【図３】
2005283815.tif 000005
【図４】
2005283815.tif 000006
【図５】
2005283815.tif 000007
【図６】
2005283815.tif 000008